(57)【要約】【課題】異物（特に、魚のウロコ等の薄状物）の除去清掃を安全にかつ簡単に行なうことができる構造を有する海水こし器を提供する。【解決手段】上部蓋１０３に設けられた海水導入管１０４から内部に取り入れられた海水は、その側面にフィルタ部材を有する筒型バケットフィルタ２００の上部開口からフィルタ内に導入され、側面のフィルタ部材を通過して、筒状本体１０１を構成する筒状容器下部１０１ａの側部下方領域に設けられた海水排出管１０２から外部に排出される。これにより、海水導入管１０４から内部に導入された海水に含まれる異物は、筒型バケットフィルタ２００の側面のフィルタ部材により濾し取られ、筒型バケットフィルタ２００内部に蓄積される。【選択図】図１
0003127237.tif 000002
【実用新案登録請求の範囲】
【請求項１】
上部が開口する有底の筒状本体(101)と、
前記筒状本体(101)の上部開口を開閉可能なように、前記筒状本体(101)の上部に連結される上部蓋(103)と、
前記上部蓋(103)に連結され、前記筒状本体(101)内部に海水を導入するための海水導入管(104)と、
前記筒状本体(101)の側部下方領域に連結され、前記筒状本体(101)内部から海水を排出するための海水排出管(102)と、
前記筒状本体(101)に収容され、上部が開口する有底の筒形状を有し、前記海水導入管(104)から内部に導入された海水から異物を回収するため、その側面にフィルタ部材を有する筒型バケットフィルタ(200)と、を備える海水こし器。
【請求項２】
前記筒型バケットフィルタ(200)は、側部全面がフィルタ部材により構成される、請求項１に記載の海水こし器。
【請求項３】
前記筒状本体(101)の内部に、防食金属(250)が配設される、請求項１または２に記載の海水こし器。
【請求項４】
前記防食金属(250)は、前記前記筒型バケットフィルタ(200)の内部に配設される、請求項３に記載の海水こし器。
【請求項５】
前記海水導入管にＬ型ホースジョイント(104)が用いられる、請求項１から４のいずれかに記載の海水こし器。
【考案の詳細な説明】
【技術分野】
【０００１】
本考案は、海水を冷却水等として用いる舶用機器用の海水こし器、特に舶用エンジン冷却用の海水こし器に関する。
【背景技術】
【０００２】
海水こし器の一例として、下記特許文献１（登録実用新案公報第３０５４４６７号）に開示されるものが挙げられる。この海水こし器３５０は、図５に示すように、舶用機器の冷却等に用いられるもので、舶用の海水取水口３５１とエンジン３５２の間に取り付けられる。
【０００３】
この海水こし器３５０の構造を図６に示す。筒状容器下部３０１はドレイン３０９を備え、海水入口３０７から海水を導入する。また、海水出口３０８から海水を排出する。筒状容器１の一部は外筒３０５を有し、筒状容器下部３０１とともに筒状容器を形成している。
【０００４】
筒状容器下部３０１および外筒３０５の内部には、筒状容器の横断面でＶ字形の面状固体フィルタ３０４が配設されている。上部および底部は開放されている。面状固体フィルタ３０４は、海水を通過させるための複数の孔が形成され、開口部側が、海水入口３０７に面するように位置決めされている。筒状容器下部３０１の内底部には、直立した棒３０２が設けられ、その上端部には、防食金属３０３が螺合貫通されている。外筒３０５の上部開口部は、上蓋３０６により閉じられている。上蓋３０６の固定は、上蓋３０６に設けられた貫通孔３１２を棒３０２が貫通し、その貫通した部分が、シールワッシャ３１１および袋ナット３１０により封じられている。
【０００５】
海水入口３０７から取り入れられた海水は、筒状容器下部３０１および外筒３０５の内部に設けられた面状固体フィルタ３０４の孔を通過することで異物が濾過され、海水出口３０８から排出されて、その後、エンジンの冷却に用いられる。
【０００６】
上述したように、この海水こし器の目的は、生物、無生物、または無機物、有機物とを問わず、ゴミ、雑物を取除いてエンジン内の冷却パイプ等の目詰まりをなくすことである。したがって、海水こし器の容器内には、フィルタが備えられる。海水こし器において、ゴミ、雑物等がフィルタ内に溜まれば、定期的に海水こし器の上蓋を取外し、筒状容器下部の内部、外筒の内部、および、フィルタのゴミ等を除去清掃する。これは、フィルタ内の目詰まりを無くし、海水の濾過を容易にして、エンジンの冷却効果を下げることなく維持するためである。
【特許文献１】登録実用新案公報第３０５４４６７号
【考案の開示】
【考案が解決しようとする課題】
【０００７】
しかしながら、上記海水こし器においては、以下に示すような問題が挙げられる。上述したように、海水こし器は、ゴミ、雑物等がフィルタ内に溜まれば定期的に、フィルタに付着したゴミ等を除去するために清掃を行なう。特に養殖関係の現場、漁業に従事する船舶（舶用機器）用海水こし器に関しては、ゴミとして魚のウロコ等がよく溜まり掃除、除去が手間取り、この掃除、除去作業の煩わしさが問題となっている。
【０００８】
これは、フィルタの形状が面状固体フィルタであることから、フィルタによって濾し取られた魚のウロコ等の異物が海水の流れによりフィルタに貼付き、目詰まりを起こし易いと考えられる。また、清掃時には容器からフィルタを取り外すこととなるが、その際にウロコ等の異物が、容器内部や、海水こし器の周辺に落下し、除去、清掃に余計な手間が発生するためである。
【０００９】
したがって、この考案が解決しようとする課題は、異物（特に、魚のウロコ等の薄状物）の除去清掃を安全にかつ簡単に行なうことができる構造を有する海水こし器を提供することにある。
【課題を解決するための手段】
【００１０】
この考案に基づいた海水こし器においては、上部が開口する有底の筒状本体と、上記筒状本体の上部開口を開閉可能なように、上記筒状本体の上部に連結される上部蓋と、上記上部蓋に連結され、上記筒状本体内部に海水を導入するための海水導入管と、上記筒状本体の側部下方領域に連結され、上記筒状本体内部から海水を排出するための海水排出管と、上記筒状本体に収容され、上部が開口する有底の筒形状を有し、上記海水導入管から内部に導入された海水から異物を回収するため、その側面にフィルタ部材を有する筒型バケットフィルタと、を備えている。
【考案の効果】
【００１１】
この考案に基づいた海水こし器によれば、上部蓋に設けられた海水導入管から内部に取り入れられた海水は、その側面にフィルタ部材を有する筒型バケットフィルタの上部開口からフィルタ内に導入され、側面のフィルタ部材を通過して、筒状本体の側部下方領域に設けられた海水排出管から外部に排出される。その結果、海水導入管から内部に導入された海水に含まれる異物は、筒型バケットフィルタの側面のフィルタ部材により濾し取られ、筒型バケットフィルタ内部に蓄積されることとなる。
【００１２】
その結果、筒型バケットフィルタ内部に溜まったゴミ、雑物魚のウロコ等の異物除去清掃作業においては、筒状本体から上部蓋を外し、筒型バケットフィルタを筒状本体内部から取り外すことのみで、異物の除去清掃作業を完了させることができる。
【００１３】
また、筒型バケットフィルタは、有底の筒形状を有していることから、海水こし器の筒状本体内部から筒型バケットフィルタを取り外した場合でも、筒型バケットフィルタの内部から異物が外部に拡散することはない。筒型バケットフィルタ内に蓄積された異物は、筒型バケットフィルタを反転させることで、周囲を汚すことなく容易に回収することができる。その結果、異物の除去清掃を安全にかつ簡単に行なうことが可能となる。
【考案を実施するための最良の形態】
【００１４】
以下、本考案に基づいた実施の形態における海水こし器の構造について、図１から図４を参照しながら説明する。なお、本実施の形態における海水こし器１００は、一例として、舶用機器の冷却等に用いられるものを示しているが、舶用機器の冷却に限定されるものではなく、海水こし器として全般に広く適用することが可能である。なお、図１は、本実施の形態における海水こし器１００の全体構成を示す分解斜視図であり、図２は、本実施の形態における海水こし器１００の構造を示す部分縦断面図である。また、図３は、本実施の形態における海水こし器１００の構造を示す平面図であり、図４は、本実施の形態における海水こし器１００の構造を示す側面部分断面図である。
【００１５】
（海水こし器１００の構造）
本実施の形態における海水こし器１００は、上部が開口する有底の筒状本体１０１を有している。この筒状本体１０１は、有底の筒状容器下部１０１ａと外筒１０１ｂとから構成される。外筒１０１ｂは、内部の視認性を確保するために透明部材を採用しているが、必ずしも透明部材により構成する必要ない。筒状容器下部１０１ａと外筒１０１ｂとは一体になって全体的な筒状本体１０１を形成する。筒状容器下部１０１ａの上端面には、外周面の全周にわたって立壁１０１ｐが設けられ、さらに、その内周面側に、全周にわたって溝１０１ｍが設けられる。この溝１０１ｍ内に、ＯリングＬ２を配設し、このＯリングＬ２と外筒１０１ｂの下端とを密着させることで、水密性を確保する（図２参照）。
【００１６】
筒状容器下部１０１ａの側部下方領域には、筒状本体１０１の内部から海水を排出するための海水排出管１０２が設けられている。また、海水排出管１０２の反対側側面の最下端部には、ドレンプラグ１０９ａが設けられている（図２参照）。
【００１７】
筒状本体１０１の上部には、この筒状本体１０１の上部開口を開閉可能なように、筒状本体１０１の上部に連結される上部蓋１０３が配設されている。上部蓋１０３の内面側の、外筒１０１ｂの上端部との当接部には、外周面の全周にわたって立壁１０３ｐが設けられ、さらに、その内周面側に、全周にわたって溝１０３ｍが設けられる。この溝１０３ｍ内には、ＯリングＬ１を配設し、このＯリングＬ１と外筒１０１ｂの上端とを密着させることで、水密性を確保する（図２参照）。上部蓋１０３の筒状本体１０１への固定は、図１および図４に良く表れるように、筒状容器下部１０１ａとの間において行なわれ、固定ボルト１０６を用いて、シールワッシャ１０５、袋ナット１０７により締結される。また、図１においては、構造の理解を容易にするため、筒状本体１０１から、上部蓋１０３を取り外した状態を示している。
【００１８】
上部蓋１０３の略中央領域には、筒状本体１０１の内部に海水を導入するための海水導入管１０４が、ねじ止め構造により、上部蓋１０３に対して着脱可能に連結されている。本実施の形態においては、外部ホースとの着脱容易性の観点から、海水導入管としてＬ型ホースジョイント１０４が用いられている。具体的には、図１に示すように、このＬ型ホースジョイント１０４は、Ｌ字本体管１０４ａと、外部ホース３００を連結する連結管１０４ｂと、Ｌ字本体管１０４ａと連結管１０４ｂとを着脱可能に連結するロックナット１０４ｃとを備えている。通常、船舶のエンジン室周りにおいてはスペースの余裕がないため、外部ホース３００が連結されたまま海水こし器１００を分解し、筒型バケットフィルタ２００を取出すことは困難である。しかし、Ｌ型ホースジョイント１０４を用いることで、外部ホース３００を連結管１０４ｂに連結したまま、Ｌ字本体管１０４ａから外部ホース３００を容易に取外すことが可能となり、限られたスペース内であっても容易に上部蓋１０３の開放して、筒型バケットフィルタ２００を取出すことが可能となる。なお、海水導入管の形式は、用途に応じて適宜変更することが可能である。また、上部蓋１０３には、エアー抜き用の開閉プラグ１０９ｂが設けられている。
【００１９】
（筒型バケットフィルタ２００の構造）
筒状本体１０１の内部には、筒状本体１０１に収容され、上部が開口する有底の円筒形状を有し、海水導入管１０４から内部に導入された海水から異物を回収するため、その側面にフィルタ部材を有する筒型バケットフィルタ２００が配置されている。この筒型バケットフィルタ２００は、側面全面に海水を通過させるための複数の孔が形成され、海水が通過することで、この筒型バケットフィルタ２００により海水から異物が濾過される。
【００２０】
本筒型バケットフィルタ２００は、その側面全面に複数の孔を有するフィルタ部材を配置しているが、求められる濾過性能に応じては、選択的にフィルタ部材を配置することも可能である。なお、この筒型バケットフィルタ２００の底部に設けられる底には、筒状容器下部１０１ａの内部底面に載置されることから孔は形成されていない。また、筒状本体１０１からの出し入れを容易にするために、筒型バケットフィルタ２００の上端部に取手や把持部を設けることも可能である。また、円筒形状にかかわらず、筒型形状であれば、その横断面形状は、八角形、六角形等の形状でも構わない。
【００２１】
図２に示すように、筒型バケットフィルタ２００の筒状本体１０１の載置に際しては、筒型バケットフィルタ２００の位置決めを行なうため、筒状容器下部１０１ａの内部底面に、位置決め用の突起１０８ａが複数設けられている。本実施の形態においては、筒状容器下部１０１ａの中心と筒型バケットフィルタ２００の中心とが一致するように、突起１０８ａが設けられている。
【００２２】
また、筒型バケットフィルタ２００の高さは、筒状本体１０１に上部蓋１０３を取り付けた際に、筒型バケットフィルタ２００の上端部が、上部蓋１０３の内面に当接する高さに設定されている。また、上部蓋１０３の内面にも、筒状容器下部１０１ａと同様に、筒型バケットフィルタ２００の位置決めのための位置決め用の突起１０３ａが複数設けられている。
【００２３】
また、筒型バケットフィルタ２００の内部には、防食金属（防食亜鉛）２５０が載置されている。防食対象の金属は、通常、鋼である場合が多いので、防食金属に亜鉛やアルミニウムを用いる場合が多い。しかし、防食金属の材質は、防食対象の金属よりも溶出しやすい卑な金属でありさえすればよく、特に限定することはない。なお、防食金属２５０の外部への流出を防止する観点から、筒型バケットフィルタ２００の内部に防食金属盤２５０を載置する場合を図示したが、外部への流出が問題とならない場合には、筒状本体１０１内部の他の領域に載置することも可能である。
【００２４】
（作用・効果）
上記構成からなる海水こし器１００によれば、上部蓋１０３に設けられた海水導入管１０４から内部に取り入れられた海水は、その側面にフィルタ部材を有する筒型バケットフィルタ２００の上部開口からフィルタ内に導入され、側面のフィルタ部材を通過して、筒状本体１０１を構成する筒状容器下部１０１ａの側部下方領域に設けられた海水排出管１０２から外部に排出される。これにより、海水導入管１０４から内部に導入された海水に含まれる異物は、筒型バケットフィルタ２００の側面のフィルタ部材により濾し取られ、筒型バケットフィルタ２００内部に蓄積されることとなる。
【００２５】
その結果、筒型バケットフィルタ２００の内部に溜まったゴミ、雑物魚のウロコ等の異物除去清掃作業においては、筒状本体１０１から上部蓋１０３を外し、筒型バケットフィルタ２００を筒状本体１０１内部から取り外すことのみで、除去清掃作業を完了させることができる。
【００２６】
また、筒型バケットフィルタ２００は、有底の筒形状を有していることから、海水こし器１００の筒状本体１０１の内部から筒型バケットフィルタ２００を取り外した場合でも、筒型バケットフィルタ２００の内部から異物が外部に拡散することはない。筒型バケットフィルタ２００内に蓄積された異物は、筒型バケットフィルタ２００を反転させることで、周囲を汚すことなく容易に回収することができる。その結果、異物の除去清掃を安全にかつ簡単に行なうことが可能となる。また、筒型バケットフィルタ２００の取出し時には、蓄積された異物が拡散しないため、筒状本体１０１内部の清掃を、筒型バケットフィルタ２００を取り外す毎に実施する必要がない。
【００２７】
また、本考案においては、筒型バケットフィルタ２００を採用したことから、この筒型バケットフィルタ２００内部に防食金属２５０を載置することが可能となり、部品点数を増やすことなく防食金属２５０の外部への流出を防止している。さらに、海水こし器１００の構成も簡素であることから、消耗品の取り替え等も容易に行なうことが可能となる。
【００２８】
以上、本考案に基づく実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【図面の簡単な説明】
【００２９】
【図１】この考案に基づいた実施の形態における海水こし器の全体構成を示す分解斜視図である。
【図２】この考案に基づいた実施の形態における海水こし器の構造を示す部分縦断面図である。
【図３】この考案に基づいた実施の形態における海水こし器の構造を示す平面図である。
【図４】この考案に基づいた実施の形態における海水こし器の構造を示す側面部分断面図である。
【図５】船用エンジン用の海水こし器の配置を示す概念図である。
【図６】背景技術における海水こし器の全体構造を示す斜視図である。
【符号の説明】
【００３０】
１００  海水こし器、１０１  筒状本体、１０１ａ  筒状容器下部、１０１ｂ  外筒、１０１ｍ，１０３ｍ  溝、１０１ｐ，１０３ｐ  立壁、１０２  海水排出管、１０３  上部蓋、１０３ａ，１０８ａ  突起、１０４  Ｌ型ホースジョイント（海水導入管）、１０４ａ  Ｌ字本体管、１０４ｂ  連結管、１０４ｃ  ロックナット、１０５  シールワッシャ、１０６  固定ボルト、１０７  袋ナット、１０９ａ  ドレンプラグ、１０９ｂ  開閉プラグ、２００  筒型バケットフィルタ、２５０  防食金属（防食亜鉛）盤、３００  外部ホース。
【図１】
0003127237.tif 000003
【図２】
0003127237.tif 000004
【図３】
0003127237.tif 000005
【図４】
0003127237.tif 000006
【図５】
0003127237.tif 000007
【図６】
0003127237.tif 000008
【手続補正書】
【提出日】平成18年9月22日(2006.9.22)
【手続補正１】
【補正対象書類名】実用新案登録請求の範囲
【補正対象項目名】全文
【補正方法】変更
【補正の内容】
【実用新案登録請求の範囲】
【請求項１】
上部が開口する有底の筒状本体(101)と、
前記筒状本体(101)の上部開口を開閉可能なように、前記筒状本体(101)の上部に連結される上部蓋(103)と、
前記上部蓋(103)に連結され、前記筒状本体(101)内部に海水を導入するための海水導入管(104)と、
前記筒状本体(101)の側部下方領域に連結され、前記筒状本体(101)内部から海水を排出するための海水排出管(102)と、
前記筒状本体(101)に収容され、上部が開口する有底の筒形状を有し、前記海水導入管(104)から内部に導入された海水から異物を回収するため、その側面にフィルタ部材を有する筒型バケットフィルタ(200)と、を備える海水こし器。
【請求項２】
前記筒型バケットフィルタ(200)は、側部全面がフィルタ部材により構成される、請求項１に記載の海水こし器。
【請求項３】
前記筒状本体(101)の内部に、防食金属(250)が配設される、請求項１または２に記載の海水こし器。
【請求項４】
前記防食金属(250)は、前記筒型バケットフィルタ(200)の内部に配設される、請求項３に記載の海水こし器。
【請求項５】
前記海水導入管にＬ型ホースジョイント(104)が用いられる、請求項１から４のいずれかに記載の海水こし器。